(57)【要約】【課題】  携帯端末においてウェブ情報を閲覧する方法を提供する。【解決手段】  携帯端末を使用してウェブ情報を閲覧する方法。取込みルールは、ウェブページキャプチャサーバーに事前に構築される。携帯端末がウェブページキャプチャサーバーにリンクされるとき、携帯端末は、取込みルールの１つを指定する。ウェブページキャプチャサーバーは、指定された取込みルールに従ってインターネット上の対象のウェブページを検索する。対象の情報は対象のウェブページから抽出され、携帯端末に直接表示される。【選択図】  図１
2009223891.tif 000002
【特許請求の範囲】
【請求項１】
携帯端末を使用してウェブ情報を閲覧する方法であって、
取込みルールをウェブページキャプチャサーバーで事前に構築し、
前記ウェブページキャプチャサーバーは、携帯端末から送信された接続要求を受信し、
前記接続要求に基づいて前記ウェブページキャプチャサーバーは、インターネット上の対象のウェブページを検索し、指定した取込みルールを受けて対象のウェブページにおけるコンテンツを取り込み、選別しおよび再配置し、
前記ウェブページキャプチャサーバーは取り込まれた、選別された対象の情報を前記携帯端末に返信し、
前記取込みルールは、少なくとも１つの対象のウェブページのウェブアドレスおよび前記ウェブページキャプチャサーバーに取り込まれた対象の情報を含み、
前記接続要求は、取込みルールを指定する命令を含む、前記閲覧方法。
【請求項２】
前記ウェブページキャプチャサーバーに構築された前記取込みルールは、利用者により構築され、カスタマイズされた取込みルールである、請求項１に記載の方法。
【請求項３】
前記ウェブページキャプチャサーバーに構築された前記取込みルールは、一般的な取込みルールである、請求項１に記載の方法。
【請求項４】
カスタマイズされた取込み方法を構築するステップであって、
インターネットを経由し、前記ウェブページキャプチャサーバーに接続するためにユーザーホストを使用し、
前記ユーザーホストは、前記ウェブキャプチャサーバーに対象のウェブアドレスに対応するウェブページの全ての情報の取り込みを依頼するために対象のウェブアドレスを前記ウェブページキャプチャサーバーに指定し、取り込まれた情報は前記ユーザーホストに返信され、
取り込まれた情報の多くのコンテンツは、前記ユーザーホストから前記ウェブページキャプチャサーバーへ送信した命令に従って対象の情報としてロックされる、請求項２に記載の方法。
【請求項５】
カスタマイズされた取込み方法を構築するステップであって、
前記ウェブページキャプチャサーバーにより提供されたプレビュー機能により実現される、前記ユーザーホストでの対象の情報の試し見をする、請求項４に記載の方法。
【請求項６】
対象の情報をロックするステップであって、
前記ウェブページキャプチャは前記ウェブページの全ての情報を分析し、ユーザーホストのために、フレームが突然現れる機能を提供し、
前記ユーザーホストは、選択した前記フレームにより対象の情報をロックする請求項４に記載の方法。
【請求項７】
前記ユーザーホストは、前記ウェブページキャプチャサーバーにログインするために、個人アカウントおよびパスワードを送信する、請求項４に記載の方法。
【請求項８】
前記携帯端末は、ディスプレー画面、操作インターフェースおよびネットワーク能力を有する、請求項１に記載の方法。
【請求項９】
前記携帯端末により送信された前記接続要求は、ＨＴＴＰ、またはＨＴＴＰＳプロトコルに合致する要求である、請求項１に記載の方法。
【請求項１０】
前記対象のウェブページを構築するための技術は、ＷＡＰ、ＨＴＭＬ、ＣＳＳ、Ｊａｖａ（登録商標）Ｓｃｒｉｐｔ、ＰＨＰ、ＪＳＰ、ＸＨＴＭＬ、ＸＭＬ、ＤＨＴＭＬ、ＪＡＳＰ、ＡＳＰ、ＰＥＲＬおよびＦｌａｓｈを含む、請求項１に記載の方法。
【請求項１１】
各取り込みルールは、さらに選別ルール、変換ルールおよび再符号化ルールを含む、請求項１に記載の方法。
【発明の詳細な説明】
【技術分野】
【０００１】
本発明は携帯端末を使用してウェブ情報を閲覧する方法に関し、特に携帯端末の限られた表示領域に表示できるようにウェブページをカスタマイズすることができる方法に関する。
【背景技術】
【０００２】
インターネットの普及により、パーソナルコンピューターすなわちＰＣ、ラップトップコンピューターおよび携帯端末（ＰＤＡ等）をインターネットに接続することは、必要不可欠な機能となった。インターネットを経由して、人々は目的の情報を入手するために様々な種類のウェブページを閲覧することができる。しかし、現在、インターネット上で提供されている情報およびウェブページの規格は、ＰＣの環境に合わせて設計されている。したがって、設計および技術は、ＰＣのハードウェアを考慮に入れているだけである。この場合、利用者が高解像度のモニター（８００×６００ピクセル以上）、強力なプロセッサ（１ＧＨｚ以上のＣＰＵクロック速度）、および十分なネットワーク帯域幅（ＡＤＳＬまたは光ファイバー接続）を備えるデスクトップコンピューターを有することが常に前提となっている。そのため、利用者は高解像度のモニターでウェブページを読むためのウェブブラウザを使うことができる。
【０００３】
携帯電話、ＰＤＡのような携帯端末は、さらに一般的になり、機能も多用途化している。１つの特徴として、利用者は、インターネットに接続するために携帯端末を使用することができる。携帯端末の携帯性、画面のサイズ、解像度、電力耐久性、メモリサイズ、プロセッサ速度ネットワーク接続速度および均一なネットワーク費用により、携帯端末は、ＰＣとは異なる操作環境を有する。そのため、携帯電話およびＰＤＡのような携帯端末でウェブページを閲覧するにはしばしば円滑に動かない。携帯端末の利用者の共通の問題には、遅い閲覧速度、および小さな画面上でのウェブページの連続的なスクローリングがある。時々、ウェブページを作成するために使用された言語（ＡｃｔｉｖｅＸ／Ｊａｖａ（登録商標）Ａｐｐｌｅｔ／Ｊａｖａ（登録商標）Ｓｃｒｉｐｔ）は、携帯端末で適切に表示できなくなる。
【０００４】
ネットワーク機能を備える携帯端末の利便性は、ウェブページの供給者にも多くの解決策をもたらす。例えば、リアリーシンプルシンジケーション技術すなわちＲＳＳは、データ伝送量およびブラウザの必要動作電力を減少させるために簡易文書コード化形式として使用される。しかし、そのような解決策は、特に携帯端末のウェブページ規格の見直しをたびたび必要とする。この解決策は、携帯端末で多くのウェブページのコンテンツを閲覧する問題を効果的に解決することができない。例としてＲＳＳを取りあげる。図１１に示すように、技術はウェブページのタイトルリンクおよび要約を提供することのみできる。利用者が、詳細なコンテンツをさらに読みたいとき、ハイパーリンクをクリックしなければならない。図１２に示すように、携帯端末は、ＰＣのために設計された独自の複雑なウェブページにリンクされている。多くのウェブページコンテンツ供給者は、携帯端末で閲覧することを全く考慮していない。したがって、ウェブページは、ＲＳＳサービスを提供せず、そのために携帯端末にとって全く不適当である。
【０００５】
さらに、マイクロソフトウインドウズ、またはアップルマックのようなオペレーティングシステムすなわちＯＳは、ウェブブラウザを備えてＰＣに導入されている。ウェブブラウザはアプリケーションプログラムである。一般的なウェブブラウザは、インターネットエクスプローラー、ファイアフォックス等を含む。ウェブブラウザは、通信回線を介して利用可能なウェブサイトから送信されたウェブページの情報を主に解読するために使用され、解読された情報を文字列、写真、ビデオおよび音楽などの人間が読める規格で提示する。解読前では、ＰＣに受信されたウェブページのデータは、デジタルコード化技術を用いて構成されたバイナリデータの流れである。利用者のＰＣに通信回線を介して利用可能なウェブサイトから送られた情報と並び、多くのアプリケーションは、利用者に対話を構築するために通信回線を介して利用可能なウェブサイトにデータを送ることを要求する。データを送ることは、利用者の問い合わせ、選別および照合において発生する。
【０００６】
上記のウェブページの文字列、写真、ビデオおよび音楽をパックすることも対話を提供することも、業界は、標準の通信プロトコルすなわちハイパーテキストマークアップ言語すなわちＨＴＭＬとして定めた。ＨＴＭＬは、ウェブページのためのマークアップ言語である。図１３を参照するに、ＨＴＭＬ符号化を経て、ウェブサイトは、全ての文字列、写真、ビデオ、音楽情報およびジャバスクリプトコードさえもいっしょに初めてパックすることができ、それを利用者のコンピュータで閲覧するために送信する。ブラウザは、受信したデータをアンパックし、利用者に元のコンテンツを提示する。
【０００７】
ＨＴＭＬサポートは他用途に設計されているため、あるウェブページの異なった規格の全ての文字列、写真、ビデオおよび音楽データをかなり組み込みやすくする。したがって、あるウェブアドレスから送信された、多くのウェブページ向けのデータは、大量のマルチメデイアデータおよび組み込まれたジャバスクリプトを含む。このことは、ＰＣのブラウザにとって問題ではない。さらに、ウェブページの設計者は、ＰＣの環境のためにウェブページを常に最適化する。したがって、利用者は、文字列、表、音声、ビデオ、対話式のジャバスクリプトの豊富な情報、またはフラッシュプレーヤーのための追加のオブジェクトさえも楽しむことができる。利用者は、それ故にウェブサイトにある他のコンテンツを拾い読みすることに魅了される。
【０００８】
現在、多くのインターネットサービスプロバイダーすなわちＩＳＰは、変換装置を利用するためにプロキシ・ゲートウェイを有効にしている。変換処理を経て、変換装置は、ＰＣで閲覧するために設計された複雑な要素で構成されたウェブページから普通の携帯端末で閲覧できない構文を除去する。この技法は、多くのウェブページを閲覧する携帯端末の問題をある程度解決する。しかし、これは、閲覧のためのハードウェアおよびソフトウェアの互換性の問題を単に解決したにすぎない。変換および削除の後、残りの情報は常に十分ではない。利用者は、興味のあるコンテンツを入手できない。実際、利用者がウェブページの詳細を閲覧したいとき、利用者にとって意味のあるコンテンツを入手したいときである。表示結果が、要求に合っていなかったら、そのような技術は少しも実用的ではない。
【０００９】
本発明は、前記の問題点を和らげもしくは取り除くための携帯端末を使用してウェブ情報を閲覧する方法を提供する。
【発明の概要】
【発明が解決しようとする課題】
【００１０】
本発明は、携帯端末においてウェブ情報を閲覧する方法を提供する。ウェブページの事前に指示した対象の情報により、携帯端末は利用者により要求された情報を直接表示できるようになる。不必要な広告および興味のわかないコンテンツは選別される。
【課題を解決するための手段】
【００１１】
目的を達成するために、開示された方法は、取込みルールをウェブページキャプチャサーバーで事前に構築し、前記ウェブページキャプチャサーバーは、携帯端末から送信された接続要求を受信し、前記接続要求に基づいて前記ウェブページキャプチャサーバーは、インターネット上の対象のウェブページを検索し、指定した取込みルールを受けて対象のウェブページにおけるコンテンツを取り込み、選別しおよび再配置し、前記ウェブページキャプチャサーバーは取り込まれた、選別された対象の情報を前記携帯端末に返信し、前記取込みルールは、少なくとも１つの対象のウェブページのウェブアドレスおよび前記ウェブページキャプチャサーバーに取り込まれた対象の情報を含み、前記接続要求は、取込みルールを指定する命令を含む。
【００１２】
前記取込みルールは、独自の対象のウェブページのウェブアドレス、抽出されたオブジェクト、選別ルール、変換ルール、および再符号化のためのルールを定義できる。
【００１３】
上記ステップを経て、利用者は携帯端末において興味のあるウェブページのコンテンツをカスタマイズすることができる。利用者は彼、彼女のＰＣ、または携帯端末にいくつものプログラムを事前に導入する必要がない。前記ウェブページキャプチャサーバーのウェブページからの取込み機能を使用することにより、利用者はウェブページのための個人的な取込みルールをカスタマイズすることができる。彼または彼女がネットワークに接続し、ウェブページを閲覧するたびに、対象のウェブページの最新の情報を入手する。
【００１４】
本発明の他の目的、利点および新規の特徴は、添付の図面に関する以下の詳細な説明からより明らかになる。
【図面の簡単な説明】
【００１５】
【図１】本発明に係る携帯端末を使用してウェブ情報を閲覧する方法を実施するためのシステムブロック図。
【図２】本発明に係る方法のフローチャート。
【図３】本発明に係るウェブページキャプチャサーバーに接続するためのログインページ。
【図４】本発明に係る、開示されたウェブページキャプチャサーバーにおいてウェブページキャプチャ機能を起動させるための操作ウェブページ。
【図５Ａ】本発明に係るウェブページにおいて対象の情報をロックするための操作ページ。
【図５Ｂ】本発明に係るウェブページにおいて対象の情報をロックするための操作ページ。
【図６】本発明に係るウェブページキャプチャサーバーにおいて複数の取込みルールの設定の概略図。
【図７】本発明に係るウェブページキャプチャサーバーに接続するための携帯端末の操作ページ。
【図８】本発明に係る携帯端末がウェブページキャプチャサーバーに接続した後のカスタマイズされた取込みルールに指示するための操作ページ。
【図９】本発明に係る携帯端末がウェブページキャプチャサーバーに接続した後の予め設定した取込みルールに指示するための操作ページ。
【図１０】本発明に係る取込みルールを用いて入手した要望の情報の概略図。
【図１１】従来技術に係る、題名のリンク及び要約を提供するためにＲＳＳ技術を用いたウェブページ。
【図１２】図１１におけるタイトルリンクを使用者がクリックしたときの文字列ウェブページ。
【図１３】従来技術に係る、文字列、写真およびビデオマルチメディア機能を有するウェブページ。
【発明を実施するための形態】
【００１６】
図１を参照するに、携帯端末を使用してウェブ情報を閲覧する方法を実施するためのシステムは、ウェブサーバー１０、ウェブページキャプチャサーバー２０、ユーザーホスト３０および携帯端末４０を含む。
【００１７】
ウェブサーバー１０は、インターネットに存在する通常のサーバーである。ウェブサーバー１０は、閲覧する利用者のために多くのウェブページを提供する。前記ウェブページのコンテンツは、文字列、ビデオ、写真および音楽のようなマルチメディアのオブジェクトを含む。前記ウェブページの編集のための技術は、限定されないが、以下のＷＡＰ、ＨＴＭＬ、ＣＳＳ、Ｊａｖａ（登録商標）Ｓｃｒｉｐｔ、ＰＨＰ、ＪＳＰ、ＸＨＴＭＬ、ＸＭＬ、ＤＨＴＭＬ、ＪＡＳＰ、ＰＥＲＬおよびＦｌａｓｈを含む。
【００１８】
ウェブページキャプチャサーバー２０は、利用者にログインユーザー識別を登録することおよび照合することを許す。ウェブページキャプチャサーバー２０は、ウェブサーバー１０に接続できる。
【００１９】
ユーザーホスト３０は、複数の異なった、カスタマイズされた取込みルールを構築することおよび編集するためにインターネットを経てウェブページキャプチャサーバー２０にリンクする。各取込みルールは、独自の対象のウェブページ、取り込むオブジェクト、選別ルール、変換ルールおよび再符号化ルールを定義する。ユーザーホスト３０は、ウェブサーバー１０にある全てのコンテンツの代わりにウェブサーバー１０の対応する対象のウェブページから興味をひくコンテンツを選択する。ユーザーホスト３０は、通常ＰＣである。
【００２０】
携帯端末４０すなわちＭＨＤは、例えば携帯電話またはＰＤＡなど、ディスプレー画面、ユーザーインターフェースおよびネットワーク機能を備える通信装置である。前記ユーザーインターフェースは、限定されないが、キーボード、タッチコントロール画面およびボタンを含む。前記ネットワーク機能は、限定されないが、ダイヤルアップ、ＷＬＡＮ、ＧＰＲＳおよび３Ｇを含む。携帯端末４０は、ウェブページキャプチャサーバー２０にリンクされ、事前に構築された取込みルールを使用するウェブサーバー１０に接続され、前記対象の情報を閲覧することを利用者に許す。
【００２１】
図２を参照するに、携帯端末を使用してウェブ情報を閲覧する方法は、２つの段階を含む。第１の段階は、取込みルールの構築である。第２段階は、ウェブページの情報を閲覧するためにＭＨＤ４０を使用することである。取込みルールを構築する段階には、次のステップを含む。
【００２２】
ステップ２０１において、ウェブページキャプチャサーバー２０の接続を確立させる。図３に示すように、利用者はインターネットを経由して、ウェブページキャプチャサーバー２０に接続するためにユーザーホスト３０を使用する。利用者は、ウェブページキャプチャサーバー２０にログインするために登録済みの個人アカウント２１およびパスワード２２を使用する。同じ利用者が以前にシステムにログインしたならば、彼または彼女はクッキーの記録を使用して直接ページに入れる。
【００２３】
ステップ２０２において、図４に示すように、対象のウェブアドレスをウェブページキャプチャサーバー２０に与える。利用者がウェブページキャプチャサーバー２０にうまくログインした後、ウェブページキャプチャサーバー２０により提供されるウェブページ２３から取込みの機能を実行できる。この機能を使用し、前記対象のウェブサイトのウェブアドレスを入力した後、ウェブページキャプチャサーバー２０は、対応するウェブページ上の全ての情報をまず検索し、ユーザーホスト３０に返信する。前記ウェブページの構成要素オブジェクトは、利用者のためにグラフィカルユーザーインターフェイスすなわちＧＵＩに提示される。
【００２４】
ステップ２０３において、対象の情報を確定する。利用者により指定された対象のウェブアドレスが、ｈｔｔｐ：／／ｆｉｎａｎｃｅ．ｙａｈｏｏ．ｃｏｍ／であると前提とする。要求を受領した後、ウェブページキャプチャサーバー２０は、自動的に対応するウェブページに接続し、分析のためにウェブページにある全てのオブジェクトを検索する。分析結果は、表示のためにユーザーホスト３０に返信される。この過程の間、ウェブページキャプチャサーバー２０は、対象のウェブページ全体の構成要素オブジェクトを事前に分析し、各オブジェクトを番号に結びつける。図５Ａおよび５Ｂを参照するに、利用者が選択できるオブジェクトのいずれかにマウスを動かしたとき、選択フレーム２４は自動的に表示される。選択フレーム２４は、目立つ赤い実線で選択できるオブジェクトの周りを取り囲むことができる。例えば、前記マウスが、図５Ａの下側の部分にある曲線の画像オブジェクトに動いたとき、選択フレーム２４は、曲線の画像オブジェクトに自動的に現れ、オブジェクトを選択できることを示す。同様に、前記マウスのカーソルが、図５Ｂの下側の部分にあるニュースの部分のような他のオブジェクトに動いたとき、選択フレーム２４は、ニュース部分から自動的に現れる。オブジェクトを選択した後、ユーザーホスト３０は、ウェブページキャプチャサーバー２０に命令を送信し、対象の情報として選択したオブジェクトをロックする。この選択したオブジェクトは、あとで携帯端末４０から見られる前記対象の情報である。
【００２５】
ステップ２０４において、選択された対象の情報を図５Ｂの上側左角に示したように、試し見する。オブジェクトを選択した後、プレビュー領域２５は、確認する利用者のために、このページを表示できる。前記試し見したコンテンツが確認されると、利用者は前記設定過程のために何らかの名称を付することができ、この名称を使用して、取込みルール２６は前記対象のウェブアドレスにおける対象の情報を定義する。図６に示すように複数の取込みルール２６は、ウェブページキャプチャサーバー２０に構築されている。各取込みルール２６は、任意にグラフィックアイコンに割り当てることができる。
【００２６】
取込みルール２６を構築した後、利用者はウェブページの情報を見るために携帯端末４０を使用できる。第２段階は、次のステップを含む。
【００２７】
ステップ２０５において、図７に示すように、利用者はウェブページキャプチャサーバー２０にログインする。携帯端末４０は、ウェブページキャプチャサーバー２０に接続するために、ＨＴＴＰまたはＨＴＴＰＳ通信プロトコルに合致する接続要求を送信する。ログインページにおいて、利用者は正しい個人アカウント２１およびパスワード２２を入力し、または、前に保存されたクッキーを使用することにより前記システムにログインする。
【００２８】
ステップ２０６において、取込みルール２６を選択する。図８を参照するに、ウェブページキャプチャサーバー２０が携帯端末４０の良好なログインを確認するとき、利用者はウェブページキャプチャサーバー２０の個人操作環境に入る。前の段階で構築され、カスタマイズされた取込みルール２６は、この操作環境において表示される。利用者は、携帯端末４０を経て取込みルール２６を選択できる。図９を参照するに、利用者により事前に構築された取込みルール２６に加えて、ウェブページキャプチャサーバー２０は、天気、交通、ニュースおよび株式市場のような情報のために特に設計された、いくつかの一般的な取込みルール２６Ａを提供できる。つまり、一般的な取込みルール２６Ａは、選択する利用者のために、より使いやすいおよび早いショートカットを提供できる。
【００２９】
ステップ２０７において、図１０に示すように、前記対象の情報が表示される。利用者により構築され、カスタマイズされた取込みルール２６または一般的な取込みルール２６Ａを使用し、ウェブページキャプチャサーバー２０は、ウェブアドレスが指定されたときにウェブサーバー１０に接続するために取込みルール２６、２６Ａのウェブアドレスを追跡する。そのため、利用者の携帯端末４０は、ロックされた対象の情報のみを表示する。実施例では、曲線の画像オブジェクトが例として用いられている。したがって、同じウェブページの不必要な情報は除去することができ、携帯端末４０の小さい画面に表示されるオブジェクトは、利用者に興味を起こさせることを確かにする。
【００３０】
上記ステップを発明の実施例のフローチャートで説明する。実行する上で、対象の情報をロックするステップ（ステップ２０３）は、次のように実施される。前記対象のウェブページに用いられるスクリプト言語は、ＨＴＭＬとする。ウェブページキャプチャサーバー２０は、ウェブページを取込み、前記独自のウェブページに組み込まれている全てのオブジェクトを抽出するためにＨＴＭＬ構文解析器を使用する。このステップの後、全ての構成要素オブジェクトが入手され、次に番号付けされる。前記オブジェクトの性質および選択可能性にしたがって、前記ウェブページは、元のウェブページと似た方法で再配置され、ジャバスクリプト用語で書かれた新しいページを作り出す。上記ステップで入手した前記オブジェクトは、図５Ａおよび５Ｂに示すように、新しいページに加えられる。この過程の間、各選択可能なオブジェクトは、画面の座標の範囲と関連する。前記マウスが前記範囲の中で動いたとき、選択フレーム２４が現れる。同時に、利用者がマウスをクリックしたとき、プログラムは、前記オブジェクトの番号の記録を生成し、ウェブページキャプチャサーバー２０にオブジェクトの番号の記録を返信する。
【００３１】
利用者がオブジェクトをクリックしたとき、オブジェクトの番号は、ウェブページキャプチャサーバー２０に返信される。前記オブジェクトの番号は、独自のウェブページのログイン過程、ウェブページの操作方法、ウェブページの情報、要求したオブジェクト等の先に構築したオブジェクトのリストに関連しているため、ウェブページキャプチャサーバー２０は、前記オブジェクトにアクセスするために必要な手順および次の選別およびオブジェクトの取込みのステップを構築するために、全ての関係情報を追跡することができる。全過程は、利用者が名付けた取込みルールを保存することができ、更新された情報を入手するために次回すぐに使用することができる。上記の記述は、多くの可能性の間の１つの実施例を説明したにすぎない。実際には、その他の同等のプログラムでも同じ効果を得られる。
【００３２】
本発明は、多くの事前に設計された、またはユーザーカスタマイズされた取込みルールおよびウェブページの情報を選別するためのウェブページキャプチャサーバーを活用する。利用者は、画面上で要望の情報を閲覧するために携帯電話またはＰＤＡのような携帯端末を使うことができる。従来の方法と比較すると、本発明は次の長所を有する。
【００３３】
１．開示されたカスタマイズされた方法を使用することにより、利用者は、ＰＣまたは携帯端末にいくつかのプログラムを事前に導入する必要がない。前記ウェブページキャプチャサーバーの取込み機能を備えることにより、利用者は、ウェブページのための個別の取込みルールをカスタマイズすることができる。これにより、異なるソフトウェアおよびハードウェアを使用することにより発生する互換性の問題を避けることができる。利用者に関するかぎり、操作上の複雑さは、最小限に抑えられる。
【００３４】
開示された個人のウェブページをカスタマイズする方法を踏まえて、各利用者は、いくつものプログラムを書くことなく、取込みルールを便利に定義できる。ウェブページコンテンツ変換は、自動的および簡単になる。
【００３５】
３．個別のウェブページをカスタマイズする利用者のための過程の間、前記ウェブページキャプチャサーバーは、独自の対象のウェブページのオブジェクトを最初に分析し、番号付ける。利用者が取込みルールを定義したとき、選択されたオブジェクトは、対応する識別表示または符号により記録される。次に、携帯端末を使用して対象の情報を表示するために、前記ウェブページキャプチャサーバーは、最新の情報を取り込むためにオブジェクトの識別表示を追跡する。したがって、取込みルールは、独自の対象のウェブページの削除および再初期化だけの従来技術とは異なる。代わりに、前記ウェブページ全体の構成要素オブジェクトは、分析され、選別され、抽出され、再配置される。この新規な方法は、利用者がニュースおよびリアルタイム株価を含むウェブページから最新の情報を取得できるようにする。
【００３６】
利用者は、携帯端末のコンピュータネットワークの時間を効率的に使用できる。利用者は、要求を満足させる接続情報を編集および構築するために最初にＰＣを使うことができる。利用者が携帯端末を使用してインターネットに接続したとき、対象の情報のための目的とする場所にすぐに入る。これは、利用者にウェブページの層を通過し、ウェブページ画面をスクロールし、リンクを探すことを省く。本発明は、不必要な操作時間を減少できるだけでなく、コンピュータネットワークの時間および利用者の費用の大部分を減少させる。
【００３７】
異なった携帯端末は、ディスプレー規格、動作電力、入力方法および接続速度が多様であるため、携帯端末の利用者が本来はＰＣのために独自に設計されたインターネットのウェブページを閲覧することは非常に難しい。開示されたウェブページをカスタマイズする方法を通して、前記ウェブページの読みやすさは、非常に改善される。最終結果は、要望の情報を入手するために異なった利用者の異なった携帯通信を満足することができる。
【符号の説明】
【００３８】
１０          ウェブサーバー
２０          ウェブページキャプチャサーバー
２１          登録済み個人アカウント
２２          パスワード
２３          ウェブページ
２４          選択フレーム
２５          プレビュー領域
２６、２６Ａ  取込みルール
３０          ユーザーホスト
４０          携帯端末
【図１】
2009223891.tif 000003
【図２】
2009223891.tif 000004
【図３】
2009223891.tif 000005
【図４】
2009223891.tif 000006
【図５Ａ】
2009223891.tif 000007
【図５Ｂ】
2009223891.tif 000008
【図６】
2009223891.tif 000009
【図７】
2009223891.tif 000010
【図８】
2009223891.tif 000011
【図９】
2009223891.tif 000012
【図１０】
2009223891.tif 000013
【図１１】
2009223891.tif 000014
【図１２】
2009223891.tif 000015
【図１３】
2009223891.tif 000016